(57)【要約】      （修正有）【課題】高効率で騒音がなく、強風時も稼働することのできる高稼働率であり、暴風時にも、自動的に、暴風の破壊的力を、空力学的に逃れる構造の風力発電機を提供すること。【解決手段】超高分子ポリエチレンを素材として、翼要素１を芯金，固定ネジを用いて鳥類の翼配置に類した鎧戸状配置の鳥翼要素３を構成し、鳥翼要素３を鳥類の羽ばたき角度に類して、複数個の鳥翼要素３を鎧戸状に曲がり水平軸４に固定し、曲がり水平軸組立て６を構成し、発電機１２の中心軸５の周りに曲がり水平軸組立て６を放射状に配置する。曲がり水平軸組み立て６は中心固定円盤７，水平パイプ１９，筋交いパイプ８，補剛プレート１１により中心軸５に固定される。【選択図】図１
2019065833.tif 000002
【特許請求の範囲】
【請求項１】
垂直軸型風力発電機において、高分子材料である超高分子ポリエチレンを薄く成形した翼要素を鎧戸状に重ね配置し、根本に芯金を通し、複数個形成した鳥翼要素を、曲がり水平軸の中心軸から遠い先端に、上方に垂直方向から適切な角度を持たせて配置し、一つ内側の鳥翼要素の先端部分が先端に配置した芯金付近に内側から被さるように配置し、次の内側の鳥翼要素を曲がり水平軸に固定し、順次鳥翼要素を複数個配置し、鎧戸状鳥翼要素とし、これを曲がり水平軸の下方にも配置し、曲がり水平軸組立て構成し、曲がり水平軸組立ての複数個を、中心軸の周りに複数の中心固定円盤、水平パイプ、筋交いパイプ、角度プレート、補剛プレート、を用いて中心軸に固定し，上下にも複数個同じセットを、中心軸に固定し、中心軸は、発電機の中心軸を兼ね、風が曲がり水平軸組み立てに当たると、内曲率側では、正回転のトルクを発生し、外曲率側では翼要素が風の力でたわみ、各鳥翼要素間に風を逃がす隙間を形成し、非常に軽減された負回転トルクを発生し、その結果、風車として高効率を獲得し、発電機の中心軸を回転させ、発電を行うと共に、異常な、暴風が付加された時は、鎧戸状の翼要素が、大きくたわみ、隣の翼要素を乗り越え、内曲率側も気密が破れ、破壊的なトルクが、中心軸に付加されない様に、翼要素の厚み形状と鳥翼要素の取り付けピッチを設定し、暴風時も、無停止で稼働し、発電状態を保つとともに、柔軟な、翼要素からの騒音の発生が無く、騒音被害のない稼働率の高い垂直軸型風車発電機を構成することを、特徴とする無停止・無音・鳥翼風車発電機。
【発明の詳細な説明】
【技術分野】
【０００１】  本発明は、風力発電機において、垂直軸風車形式で、騒音が無く、暴風時にも安全に稼働する無停止・無音・鳥翼風車発電機２０に関するものである。
【背景技術】
【０００２】  従来の風車は大別して、揚力型風車又は抗力型風車およびその他の形式である。【０００３】揚力型風車は翼の周りを流れる風から発生する、風流れにほぼ直角方向に発生する揚力を回転原動力にして、風車を回す。このため効率を良くするため高速回転を要求され、甚大な風切り音と、振動を風車設置付近に拡散するため人家があるところでは、設置ができない。又強風時には稼働停止制御が必要である。【０００４】抗力型風車は翼の周りを流れる風から発生する、風の流れにほぼ平行方向に発生する抗力を回転原動力にして、風車を回す。このため風車全体にかかる抗力が甚大となり、大きな基礎工事が必要で、実用的でない。また、風切り音が大きく、人家があるところでは、設置ができない。又強風時には稼働停止制御が必要である。
その他の形式は実用化が不十分である。
【先行技術文献】
【０００５】
【特許文献】
【特許文献】特開２００３−１２０５０８号公報
【特許文献】特開平１０−１２２１２４号公報
【発明の概要】
【発明が解決しようとする課題】
【０００６】  解決しようとする問題点は、従来の風車は効率を上げるために高速回転仕様となり固体の翼と空気の流れ間に生ずる空気振動が発生する。このため甚大な騒音発生により、人家のある生活空間に風力発電を設置することができない事である。【０００７】  さらに解決しようとする問題点は、前線通過や台風などの強風時、異常な高速回転となるため、危険回避の目的で、風車の稼働を停止し、多くのエネルギー獲得機会を無駄にすることである。
【課題を解決するための手段】
【０００８】  垂直軸型風力発電機において、高分子材料である超高分子ポリエチレンを薄く成形した翼要素１を鎧戸状に重ね配置し、根本に芯金２を通し、固定ネジ１０で固定し、複数個形成した鳥翼要素３を、曲がり水平軸４の中心軸５から遠い先端に、上方に垂直方向から適切な角度を持たせて、配置し、一つ内側の鳥翼要素３の先端部分が先端に配置した芯金２付近に内側から被さるように鎧戸状に配置し、次の内側の鳥翼要素３を曲がり水平軸４に固定し、順次鳥翼要素３を複数個配置し鳥翼要素３の組み合わせとし、これを曲がり水平軸４の下方にも配置し、曲がり水平軸組立て６を構成し、曲がり水平軸組立て６の複数個を、中心軸５の周りに複数の水平パイプ１９，中心固定円盤７、筋交いパイプ８、補剛プレート１１、を用いて中心軸５に固定し，上下にも複数個同じセットを、中心軸５に固定し、中心軸５は、発電機１２の中心軸５を兼ねる。図７原理図に示す様に、風がすべての曲がり水平軸組み立て６に当たると、内曲率側１３では、正回転のトルクを発生し、外曲率側１４では翼要素１が風の力でたわみ、各鳥翼要素３間に風を逃がす隙間１５を形成し、非常に軽減された微細な負回転トルクを発生し、そのトルク差で高効率を獲得し、発電機１２の中心軸５を図７矢印方向に回転させ、発電を行う。また異常な、暴風が付加された時は、図８原理図に示す様に、鎧戸状の全ての翼要素１が、大きくたわみ、隣の翼要素１を乗り越え、内曲率側１３も気密が破れ、破壊的なトルクが、中心軸に付加されない様に、翼要素１の厚み形状と鳥翼要素３の取り付けピッチを設定し、暴風時も、無停止とし、発電状態を保つ。かくして柔軟な、翼要素１からの騒音の発生が無く、騒音被害のない稼働率の高い垂直軸型風車発電機として、無停止・無音・鳥翼風車発電機２０を構成する。
【発明の効果】
【０００９】  本発明の無停止・無音・鳥翼風車発電機２０は、
図７に示す内曲率側１３では気密が保たれ大きな駆動静圧が発生し、外曲率側１４では風を逃がす隙間１５の効果で小さな制動静圧しか発生しないため、従来の風車形式に比べ、より大きな駆動トルクを発電機１２へ伝えることができ、より高効率な風車が実現する。
また、破壊的強風時には、図８に示す様に、内曲率側１３も外曲率側１４でも、翼要素１が強風力により大きな弾性変形をおこすため、気密が自動的に破れ、隙間だらけの曲がり水平軸組立て６となり、破壊的な力が、無停止・無音・鳥翼風車発電機２０に付加されることがない。
また、超高分子ポリエチレンの物性は、自然界の鳥類の羽を構成するケラチンと、酷似しており、風切り音や高速流による、衝撃波の発生も無いため、強風時にも、騒音の発生が無く、人家に設置しても何ら騒音、低周波音による健康上の問題や、環境破壊はない。
かくして、高効率で、騒音のない、停止制御不要で、安全安心な、無停止・無音・鳥翼風車発電機２０を提供することができる。
【図面の簡単な説明】
【００１０】
【図１】図１は本発明の無停止・無音・鳥翼風車発電機２０の全体説明図である。
【図２】図２は本発明の翼要素１の形状である。
【図３】図３は本発明の鳥翼要素３の説明図である。
【図４】図４は本発明の曲がり水平軸４の説明図である。
【図５】図５は本発明の曲がり水平軸組み立て６の説明図である。
【図６】図６は本発明の通常風速で稼働時の鳥翼要素３が画面右から左に風を受けたときの翼要素１が曲がった時の説明図である。
【図７】図７は本発明の通常風速で稼働時の曲がり水平軸組み立て６の内曲率側１３および、曲がり水平軸組み立て６の外曲率側１４に風を逃がす隙間１５が生じる原理説明図である。
【図８】図８は本発明の暴風速で稼働時の曲がり水平軸組み立て６の内曲率側１３および、曲がり水平軸組み立て６の外曲率側１４の両方に風を逃がす隙間１５が生じる原理説明図である。
【図９】図９は本発明の無停止・無音・鳥翼風車発電機２０の下方から見た全体説明図である。
【図１０】図１０は本発明の鳥翼要素３の変形状態の原理説明図である。
【発明を実施するための形態】
【００１１】  自然界に生息する鳥類の翼構造および羽ばたき動作を、風力発電機に応用するため、鳥類の翼の構成物質である、ケラチンと物性と似通った、超高分子ポリエチレンを素材として、翼要素１を作成し、鳥類の翼配置に習って、鎧戸状に配置し、鳥翼要素３を構成し、鳥翼要素３を鎧戸状に配置し、曲がり水平軸組み立て６を組立てる。複数の曲がり水平軸組み立て６を図１のように放射状に中心軸５を中心に配置し、中心軸５を発電機１２に接続する。
【実施例１】
【００１２】  本発明の構成
図１に示すように図２の翼要素１を複数個組み上げた図３の鳥翼要素３を曲がり水平軸４に角度を付けて「へ」の字型に複数個取り付け、曲がり水平軸組み立て６を構成する。曲がり水平軸組み立て６に補剛プレート１１を溶接し、中心固定円盤７、水平パイプ１９、筋交いパイプ８をそれぞれ図１のように、固定し、曲がり水平軸組み立て６を上３セット、下３セットの６位相構成とする。中心固定円盤７は発電機１２の中心軸に固定することで、上３セット、下３セット、合計６セットの曲がり水平軸組み立て６に作用するトルク力はすべて、中心軸５を介して、発電機１２に伝達される構成とする。【００１３】  本発明の作用
図７の原理図に示す様に通常風が無停止・無音・鳥翼風車発電機２０に当たると、図１０原理図右上のごとく、曲がり水平軸組立て６の気密が保たれた内曲率側１３の圧力を上昇させる。一方反対側の水平軸組立て６の外曲率側１４は、図１０原理図中央のごとく、風圧により、多数の翼要素１が曲がり、風を逃がす隙間１５を作り出す。その結果、内曲率側１３の圧力がはるかに外曲率側１４より大きくなり駆動トルクが大きく発生する。その結果、変形能のない固定形状の翼を持つ従来の風車に比べ、風車効率の格段優れた風車効率をもたらすことができる。
又図８に示す様に、台風などの災害時、暴風が（実施例では風速４５ｍ／秒以上）無停止・無音・鳥翼風車発電機２０に当たると、図１０原理図左下のごとく、水平軸組立て６の内曲率側１３および水平軸組立て６の外曲率側１４のすべての鳥翼要素１は大きな暴風による風圧のため、すべて変形し、大きな風を逃がす隙間１５を作りだし、駆動トルクと制動トルクの差が少なくなり、風車は微回転状態となり、暴走による、破損を防ぎ、大きな風を逃がす隙間１５の効果で風車にかかる倒壊力減じて、風車を暴風から守る。【００１４】  本発明の効果
本発明による無停止・無音・鳥翼風車発電機２０は、翼要素１が鳥類の翼に酷似した構造と物性で構成されているため、強風時にも無音である。このため、人工密集地や、家庭用住宅に設置が可能で、多数個を、設置しても、騒音被害はない。また、風車効率が高いため、小型化が容易で、住宅のコーナーなど設置場所を選ばずに、普及させることができる。さらに、暴風時にも、メンテナンス不要で、自動的に、暴風回避をするので、稼働率の高い、安全安心な風力発電機を提供することができる。
本発明による無停止・無音・鳥翼風車発電機２０は、（従来の風車発電機は、強風時には停止制御するため、多くの風力エネルギーを無駄にしているのに対し、）ほぼ１００％の稼働率を実現することができ、結果的に高効率の無停止・無音・鳥翼風車発電機２０を提供することができる。
【産業上の利用可能性】
【００１５】  人口密集地でも多数設置可能な、高効率な家庭用風力発電機である無停止・無音・鳥翼風車発電機２０、産業用大型の無停止・無音・鳥翼風車発電機２０、が実現できる。その結果、各工場の自立的エネルギー確保を可能にし、施設農業のおける電気エネルギーの確保、地域エネルギー組合の中核事業、各家庭の自立的エネルギー運用、大小売電事業、等々、何ら制約の無い、エネルギー事業の展開に寄与することが可能となる。
【符号の説明】
【００１６】１    翼要素
２    芯金
３    鳥翼要素
４    曲がり水平軸
５    中心軸
６    曲がり水平軸組立て
７    中心固定円盤
８    筋交いパイプ
９    風車取り付けボルト
１０  固定ネジ
１１  補剛プレート
１２  発電機
１３  内曲率側
１４  外曲率側
１５  風を逃がす隙間
１６  欠番
１７  風下側
１８  風上側
１９  水平パイプ
２０  無停止・無音・鳥翼風車発電機
【図１】
2019065833.tif 000003
【図２】
2019065833.tif 000004
【図３】
2019065833.tif 000005
【図４】
2019065833.tif 000006
【図５】
2019065833.tif 000007
【図６】
2019065833.tif 000008
【図７】
2019065833.tif 000009
【図８】
2019065833.tif 000010
【図９】
2019065833.tif 000011
【図１０】
2019065833.tif 000012
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
垂直軸型風力発電機において、高分子材料である超高分子ポリエチレン（素材の曲弾性係数９００〜２５００ＭＰａ）を薄く成形した翼要素を鎧戸状に重ね配置し、根本に芯金を通し、複数個形成した鳥翼要素を、曲がり水平軸の中心軸から遠い先端に、上方に垂直方向から適切な角度（５度〜１５度）を持たせて、最外側の鳥翼要素を配置し、一つ内側の鳥翼要素の先端部分が先端に配置した芯金付近に内側から被さるように配置し、次の内側の鳥翼要素を曲がり水平軸に固定し、順次鳥翼要素を複数個配置し、鎧戸状鳥翼要素とし、これを曲がり水平軸の下方にも配置し、曲がり水平軸組立て構成し、曲がり水平軸組立ての複数個を、中心軸の周りに複数の中心固定円盤、水平パイプ、筋交いパイプ、角度プレート、補剛プレート、を用いて中心軸に固定し，上下にも複数個同じセットを、中心軸に固定し、中心軸は、発電機の中心軸を兼ね、風が曲がり水平軸組み立てに当たると、内曲率側では、正回転のトルクを発生し、外曲率側では翼要素が風の力でたわみ、各鳥翼要素間に風を逃がす隙間を形成し、非常に軽減された負回転トルクを発生し、その結果、風車として高効率を獲得し、発電機の中心軸を回転させ、発電を行うと共に、異常な、暴風（風速４５ｍ／秒以上）が付加された時は、鎧戸状の翼要素が、大きくたわみ、隣の翼要素を乗り越え、内曲率側も気密が破れ、破壊的なトルクが、中心軸に付加されない様に、翼要素の厚み（０．１〜０．５ｍｍ）、形状（台形又は三角形又は長方形）と鳥翼要素の取り付けピッチ（５０〜２００ｍｍ）を設定し、暴風（風速４５ｍ／秒以上）時も、無停止で稼働し、発電状態を保つとともに、柔軟（素材の曲弾性係数９００〜２５００ＭＰａ）な、翼要素からの騒音の発生が無く（暗騒音以上の騒音がない）、騒音被害のない稼働率（停止時間がないためほぼ１００％）の高い垂直軸型風車発電機を構成することを、特徴とする無停止・無音・鳥翼風車発電機。
【手続補正２】
【補正対象書類名】明細書
【補正対象項目名】全文
【補正方法】変更
【補正の内容】
【発明の詳細な説明】
【技術分野】
【０００１】  本発明は、風力発電機において、垂直軸風車形式で、騒音が無く（暗騒音以上の騒音がない）、暴風時にも安全に稼働する無停止・無音・鳥翼風車発電機２０に関するものである。
【背景技術】
【０００２】  従来の風車は大別して、揚力型風車又は抗力型風車およびその他の形式である。【０００３】揚力型風車は翼の周りを流れる風から発生する、風流れにほぼ直角方向に発生する揚力を回転原動力にして、風車を回す。このため効率を良くするため高速回転を要求され、甚大な風切り音と、振動を風車設置付近に拡散するため人家があるところでは、設置ができない。又強風時には稼働停止制御が必要である。【０００４】抗力型風車は翼の周りを流れる風から発生する、風の流れにほぼ平行方向に発生する抗力を回転原動力にして、風車を回す。このため風車全体にかかる抗力が甚大となり、大きな基礎工事が必要で、実用的でない。また、風切り音が大きく、人家があるところでは、設置ができない。又強風時には稼働停止制御が必要である。
その他の形式は実用化が不十分である。
【先行技術文献】
【０００５】
【特許文献】
【特許文献】特開２００３−１２０５０８号公報
【特許文献】特開平１０−１２２１２４号公報
【発明の概要】
【発明が解決しようとする課題】
【０００６】  解決しようとする問題点は、従来の風車は効率を上げるために高速回転仕様となり固体の翼と空気の流れ間に生ずる空気振動が発生する。このため甚大な騒音発生により、人家のある生活空間に風力発電を設置することができない事である。【０００７】  さらに解決しようとする問題点は、前線通過や台風などの強風時、異常な高速回転となるため、危険回避の目的で、風車の稼働を停止し、多くのエネルギー獲得機会を無駄にすることである。
【課題を解決するための手段】
【０００８】  垂直軸型風力発電機において、高分子材料である超高分子ポリエチレン（素材の曲弾性係数９００〜２５００ＭＰａ）を薄く成形した翼要素１を鎧戸状に重ね配置し、根本に芯金２を通し、固定ネジ１０で固定し、複数個形成した鳥翼要素３を、曲がり水平軸４の中心軸から遠い先端４ｅに、上方に垂直方向から、風の抗力獲得効率が最大になる事を、実験で確認した適切な角度（５度〜１５度）を持たせて、最外側の鳥翼要素３ａを配置し、一つ内側の鳥翼要素３ｂの先端部分が先端に配置した芯金２付近に内側から被さるように鎧戸状に配置し、次の内側の鳥翼要素３を曲がり水平軸４に固定し、順次鳥翼要素３を複数個配置し鳥翼要素３の組み合わせとし、これを曲がり水平軸４の下方にも配置し、曲がり水平軸組立て６を構成し、曲がり水平軸組立て６の複数個を、中心軸５の周りに複数の放射状水平パイプ１９，中心固定円盤７、筋交いパイプ８、補剛プレート１１、角度プレート１６、を用いて中心軸５に固定し，上下にも複数個同じセットを、中心軸５に固定し、中心軸５は、発電機１２の中心軸５を兼ねる。図７原理図に示す様に、風がすべての曲がり水平軸組み立て６に当たると、内曲率側１３では、正回転のトルクを発生し、外曲率側１４では翼要素１が風の力でたわみ、各鳥翼要素３間に風を逃がす隙間１５を形成し、非常に軽減された微細な負回転トルクを発生し、そのトルク差で高効率を獲得し、発電機１２の中心軸５を図７矢印方向に回転させ、発電を行う。また異常な、暴風（風速４５ｍ／秒以上）が付加された時は、図８原理図に示す様に、鎧戸状の全ての翼要素１が、大きくたわみ、隣の翼要素１を乗り越え、内曲率側１３も気密が破れ、破壊的なトルクが、中心軸５に付加されない様に、翼要素１の厚み（０．１〜０．５ｍｍ）形状（台形又は三角形又は長方形）２１ａと鳥翼要素の取り付けピッチ（５０〜２００ｍｍ）２１ｃを設定し、暴風（風速４５ｍ／秒以上）２４時も、無停止とし、発電状態を保つ。かくして柔軟（素材の曲弾性係数９００〜２５００ＭＰａ）な、翼要素１からの騒音の発生が無く（暗騒音以上の騒音がない）、騒音被害のない稼働率の高い垂直軸型風車発電機として、無停止・無音・鳥翼風車発電機２０を構成する。
【発明の効果】
【０００９】  本発明の無停止・無音・鳥翼風車発電機２０は、
図７に示す内曲率側１３では気密が保たれ大きな駆動静圧が発生し、外曲率側１４では風を逃がす隙間１５の効果で小さな制動静圧しか発生しないため、従来の風車形式に比べ、より大きな駆動トルクを発電機１２へ伝えることができ、より高効率な風車が実現する。
また、暴風時１５ｄには、図８、図１５に示す様に、内曲率側１３も外曲率側１４でも、翼要素１が強風力により大きな弾性変形をおこすため、気密が自動的に破れ、隙間だらけの曲がり水平軸組立て６となり、破壊的な力が、無停止・無音・鳥翼風車発電機２０に付加されることがない。
また、超高分子ポリエチレン（素材の曲弾性係数９００〜２５００ＭＰａ）の物性は、自然界の鳥類の羽を構成するケラチンと、酷似しており、風切り音や高速流による、衝撃波の発生も無いため、強風時１５ｃにも、騒音の発生が無く（暗騒音以上の騒音がない）、人家に設置しても何ら騒音、低周波音による健康上の問題や、環境破壊はない。
かくして、高効率で、騒音のない（暗騒音以上の騒音がない）、停止制御不要で、安全安心な、無停止・無音・鳥翼風車発電機２０を提供することができる。
【図面の簡単な説明】
【００１０】
【図１】図１は本発明の無停止・無音・鳥翼風車発電機２０の全体説明図である。
【図２】図２は本発明の翼要素１の形状である。
【図３】図３は本発明の鳥翼要素３の説明図である。
【図４】図４は本発明の曲がり水平軸４の説明図である。４は全体、４ａは円弧状に曲がった部分、４ｂは直線部４ｃは内曲率側、４ｄは外曲率側を示す。
【図５】図５は本発明の曲がり水平軸組み立て６の説明図である。
【図６】図６は本発明の通常風速で稼働時の鳥翼要素３が画面右から左に風を受けたときの翼要素１が曲がった時の説明図である。
【図７】図７は本発明の通常風速で稼働時の曲がり水平軸組み立て６の内曲率側１３および、曲がり水平軸組み立て６の外曲率側１４に風を逃がす隙間１５が生じる原理説明図である。
【図８】図８は本発明の暴風（風速４５ｍ／秒以上）速で稼働時の曲がり水平軸組み立て６の内曲率側１３および、曲がり水平軸組み立て６の外曲率側１４の両方に風を逃がす隙間１５が生じる原理説明図である。
【図９】図９は本発明の無停止・無音・鳥翼風車発電機２０の下方から見た全体説明図である。
【図１０】図１０は本発明の鳥翼要素３の変形状態の原理説明図である。
【図１１】図１１は本発明の平面図である。
【図１２】図１２は本発明の正面図である。
【図１３】図１３は角度プレート１６の図である。
【図１４】図１４は角度プレート１６および放射状水平パイプ１９、筋交いパイプ８の組み上がった部分図である。
【図１５】図１５は本発明の鳥翼要素３の各風速時における変形図（無風時１５ａ，通常風時１５ｂ、強風時１５ｃ、暴風時１５ｄ）、以上４ケースの平面図および正面図）である。
【図１６】図１６は本発明の翼要素１を鎧戸状に配置した様子を示した図である。
【発明を実施図するための形態】
【００１１】    自然界に生息する鳥類の翼構造および羽ばたき動作を、風力発電機に応用するため、鳥類の翼の構成物質である、ケラチンと物性と似通った、超高分子ポリエチレンを素材（素材の曲弾性係数９００〜２５００ＭＰａ）として、翼要素１を作成し、鳥類の翼配置に習って、鎧戸状に配置し、鳥翼要素３を構成し、鎧戸状の鳥翼要素３をさらに鎧戸状に配置し、曲がり水平軸組み立て６を組立てる。複数の曲がり水平軸組み立て６を図１のように放射状に中心軸５を中心に配置し、中心軸５を発電機１２に接続する。
【実施例１】
【００１２】  本発明の構成
図１、図１２に示すように図２の翼要素１を複数個組み上げた図３の鳥翼要素３を曲がり水平軸４に垂直から、鳥翼要素の取り付け角度２２（５度〜１５度）を付けて「へ」の字型に複数個取り付け、曲がり水平軸組み立て６を構成する。曲がり水平軸組み立て６に補剛プレート１１を溶接し、中心固定円盤７、水平パイプ１９、筋交いパイプ８をそれぞれ図１，図１１，図１２のように、固定し、曲がり水平軸組み立て６を上３セット、下３セットの６位相構成とする。中心固定円盤７は発電機１２の中心軸に固定することで、上３セット、下３セット、合計６セットの曲がり水平軸組み立て６に作用するトルク力はすべて、中心軸５を介して、発電機１２に伝達される構成とする。【００１３】  本発明の作用
図７の原理図に示す様に通常風２３が無停止・無音・鳥翼風車発電機２０に当たると、図１０原理図右上、曲がり水平軸組立て６の気密が保たれた内曲率側１３の圧力を上昇させる。一方反対側の水平軸組立て６の外曲率側１４は、図１０原理図中央のごとく、風圧により、多数の翼要素１が曲がり、風を逃がす隙間１５を作り出す。その結果、内曲率側１３の圧力がはるかに外曲率側１４より大きくなり駆動トルクが大きく発生する。その結果、変形能のない固定形状の翼を持つ従来の風車に比べ、風車効率の格段優れた風車効率をもたらすことができる。
又図８および図１２に示す様に、翼要素の形状２１ａ（台形又は三角形又は長方形），翼要素の長さ２１ｂと鳥翼要素の取り付けピッチ２１ｃ（５０〜２００ｍｍ）  鳥翼要素の取り付け角度２２（５度〜１５度）は、各値を変化させ、実験で求めた効率最大を示し、かつ十分安全な値を採用し、台風などの災害時、暴風２４（風速４５ｍ／秒以上）が、無停止・無音・鳥翼風車発電機２０に当たると、図１０原理図左下のごとく、水平軸組立て６の内曲率側１３および水平軸組立て６の外曲率側１４のすべての鳥翼要素１は大きな暴風２４（風速４５ｍ／秒以上）による風圧のため、すべて変形し、大きな風を逃がす隙間１５を作りだし、駆動トルクと制動トルクの差が少なくなり、風車は微回転状態となり、暴走による、破損を防ぎ、大きな風を逃がす隙間１５の効果で風車にかかる倒壊力減じて、風車を暴風２４（風速４５ｍ／秒以上）から守る。
すなわち、翼要素１および鳥翼要素３の風速による形状変化は図１５にしめす如く、無風時１５ａ（０ｍ／秒），通常風時１５ｂ（〜約２５ｍ／秒）、強風時１５ｃ（約２５〜約４０ｍ／秒）、暴風時１５ｄ（約４５ｍ／秒以上）である。
まず、無風時１５ａに於いては，鳥翼要素３は変形が無く図１６に示す様な鎧戸状である。通常風時１５ｂに於いては、鳥翼要素３は中央が風圧で少しへこんだ形状と成る。強風時１５ｃに於いては、鳥翼要素３は中央が風圧で大きくこんだ形状と成る。暴風時１５ｄに於いては、鳥翼要素３は中央が風圧で突き抜けられ形状と成り破壊的な抗力が発生しないように風を逃がす形状となる。このようにして、風車にかかる倒壊力減じて、風車を暴風から守る。【００１４】  本発明の効果
本発明による無停止・無音・鳥翼風車発電機２０は、翼要素１が鳥類の翼に酷似した構造と物性（素材の曲弾性係数９００〜２５００ＭＰａ）で構成されているため、強風時にも無音（暗騒音以上の騒音がない）である。このため、人工密集地や、家庭用住宅に設置が可能で、多数個を、設置しても、騒音被害はない。また、風車効率が高いため、小型化が容易で、住宅のコーナーなど設置場所を選ばずに、普及させることができる。さらに、暴風（風速４５ｍ／秒以上）時１５ｄにも、メンテナンス不要で、自動的に、暴風回避をするので、稼働率の高い（停止時間がないためほぼ１００％）、安全安心な風力発電機を提供することができる。
本発明による無停止・無音・鳥翼風車発電機２０は、（従来の風車発電機は、強風時（約２５〜約４０ｍ／秒）には停止制御するため、多くの風力エネルギーを無駄にしているのに対し、）ほぼ１００％の稼働率を実現することができ、結果的に高効率の無停止・無音・鳥翼風車発電機２０を提供することができる。
【産業上の利用可能性】
【００１５】  人口密集地でも多数設置可能な、高効率な家庭用風力発電機である無停止・無音・鳥翼風車発電機２０、産業用大型の無停止・無音・鳥翼風車発電機２０、が実現できる。その結果、各工場の自立的エネルギー確保を可能にし、施設農業のおける電気エネルギーの確保、地域エネルギー組合の中核事業、各家庭の自立的エネルギー運用、大小売電事業、等々、何ら制約の無い、エネルギー事業の展開に寄与することが可能となる。
【符号の説明】
【００１６】１    翼要素
２    芯金
２ａ  先端に配置した芯金
３    鳥翼要素
３ａ  最外側の鳥翼要素
３ｂ  一つ内側の鳥翼要素
４    曲がり水平軸
４ａ  曲がり水平軸円弧部
４ｂ  曲がり水平軸直線部
４ｃ  内曲率側
４ｄ  外曲率側
４ｅ  曲がり水平軸の中心側から遠い先端
５    中心軸
６    曲がり水平軸組立て
７    中心固定円盤
８    筋交いパイプ
９    風車取り付けボルト
１０  固定ネジ
１１  補剛プレート
１２  発電機
１３  内曲率側
１４  外曲率側
１５  風を逃がす隙間
１５ａ無風時
１５ｂ通常風時
１５ｃ強風時
１５ｄ暴風時
１６  角度プレート
１７  風下側
１８  風上側
１８ａ強風時の風上側
１８ｂ強風時の風下側
１８ｃ暴風時の風上側
１８ｄ暴風時の風下側
１９  放射状水平パイプ
２０  無停止・無音・鳥翼風車発電機
２１  取り付け６角ボルト
２１ａ  翼要素の形状
２１ｂ  翼要素の長さ
２１ｃ  鳥翼要素の取り付けピッチ
２２  鳥翼要素の取り付け角度
２３  通常風
２４  暴風
【手続補正３】
【補正対象書類名】図面
【補正対象項目名】全図
【補正方法】変更
【補正の内容】
【図１】
2019065833.tif 000013
【図２】
2019065833.tif 000014
【図３】
2019065833.tif 000015
【図４】
2019065833.tif 000016
【図５】
2019065833.tif 000017
【図６】
2019065833.tif 000018
【図７】
2019065833.tif 000019
【図８】
2019065833.tif 000020
【図９】
2019065833.tif 000021
【図１０】
2019065833.tif 000022
【図１１】
2019065833.tif 000023
【図１２】
2019065833.tif 000024
【図１３】
2019065833.tif 000025
【図１４】
2019065833.tif 000026
【図１５】
2019065833.tif 000027
【図１６】
2019065833.tif 000028